(57)【要約】【課題】太陽電池装置における設置の信頼性の向上と設置対象部への負荷の低減とをバランス良く実現する。【解決手段】太陽電池装置は、太陽電池モジュールと第２基体の上で太陽電池モジュールを保持している保持部とを備える。第２基体は、第１基体の上で複数本の長尺部材の上に位置している。第２基体は、第１基体から離れる方向に突出しており且つ第１方向に沿って延びている凸状部分を有する。保持部は、支持部材と固定部とを有する。固定部は、第２基体を貫通し、長尺部材に支持部材を固定している。支持部材は、溝型部分と張出部分とを有する。溝型部分は、凸状部分を覆い且つ第１方向に延びており、第２基体側が開口している。張出部分は、溝型部分から両側に張り出しており、第２基体を介して長尺部材に支持されている。【選択図】図７
2019044419.tif 000002
【特許請求の範囲】
【請求項１】
１つ以上の太陽電池モジュールと、
設置対象部の上に位置し、前記１つ以上の太陽電池モジュールを保持している保持部と、を備え、
前記設置対象部は、第１基体と、該第１基体の上において第１方向に間隔を空けて並んでおり且つ前記第１方向に交差している第２方向に沿った長手方向を有する複数本の長尺部材と、該複数本の長尺部材の上に位置している第２基体と、を有し、
該第２基体は、前記第１基体から離れる方向に突出しており且つ前記第１方向に沿って延びている状態で位置している凸状部分と、該凸状部分の前記第２方向の側に位置している状態で前記複数本の長尺部材によって支持されている第１被支持部分と、前記凸状部分の前記第２方向とは逆の第３方向の側に位置している状態で前記複数本の長尺部材によって支持されている第２被支持部分と、を有し、
前記保持部は、前記第２基体の上に位置しており、前記１つ以上の太陽電池モジュールを支持している支持部材と、前記第２基体を貫通しており且つ前記長尺部材に前記支持部材を固定している状態で位置している固定部と、を有し、
前記支持部材は、前記凸状部分を覆っており且つ前記第１方向に延びている状態で位置しているとともに前記第２基体側が開口している溝型部分と、前記溝型部分の前記第２方向の側の領域から前記第２方向に張り出している状態で位置しており且つ前記第１被支持部分を介して前記長尺部材によって支持されている第１張出部分と、前記溝型部分の前記第３方向の側の領域から前記第３方向に張り出している状態で位置しており且つ前記第２被支持部分を介して前記長尺部材によって支持されている第２張出部分と、を有している、太陽電池装置。
【請求項２】
請求項１に記載の太陽電池装置であって、
前記固定部は、前記第１方向と前記第２方向とに直交する第４方向に沿って前記第２基体を貫通しており且つ前記長尺部材に締結されている状態で位置している第１締結用部分と、前記第４方向に沿って前記支持部材を貫通しており且つ前記支持部材に固定されている状態で位置している第２締結用部分と、前記第１締結用部分と前記第２締結用部分とを連結している状態で位置している連結用部分と、を有する、太陽電池装置。
【請求項３】
請求項２に記載の太陽電池装置であって、
前記連結用部分は、前記第１締結用部分が前記第４方向に沿って貫通している状態で位置している第１孔部が存在している第１部分と、前記第２締結用部分が前記第４方向に沿って貫通している状態で位置している第２孔部が存在している第２部分と、前記第１部分と前記第２部分とを連結している第３部分と、を含み、
前記第１部分と前記第２部分との間で、前記第４方向において前記第１締結用部分と前記第２締結用部分とが当接している、太陽電池装置。
【請求項４】
請求項１から請求項３の何れか１つの請求項に記載の太陽電池装置であって、
前記保持部は、前記溝型部分の前記第２基体が位置している側とは反対側に位置しており且つ前記１つ以上の太陽電池モジュールを支持している頂部分を有し、
該頂部分は、前記第１方向に沿って延びており且つ前記１以上の太陽電池モジュールが位置している側が開口している状態で位置している溝状部分を有し、
該溝状部分は、前記支持部材の上で締結によって前記１以上の太陽電池モジュールを保持するためのボルト部材の頭部またはナット部材が回動しないように係合されている状態で収容している、太陽電池装置。
【発明の詳細な説明】
【技術分野】
【０００１】
本開示は、太陽電池装置に関する。
【背景技術】
【０００２】
近年、環境保護の機運の高まりに伴って、環境負荷の少ない太陽光発電が注目されている。この太陽光発電の普及の拡大を図るために、屋根の上に太陽電池モジュールを位置させた太陽電池装置が注目されている。このような太陽電池装置には、屋根材の素材および形状などの特徴に適した構造が求められる。
【０００３】
例えば、野地板または垂木などに捩じ込んだネジ部材などを用いて太陽電池モジュールを支持する技術が提案されている（例えば、下記の特許文献１および特許文献２の記載を参照）。
【先行技術文献】
【特許文献】
【０００４】
【特許文献１】特開２０１３−２１３３５０号公報
【特許文献２】特開２０１５−２８２５７号公報
【発明の概要】
【発明が解決しようとする課題】
【０００５】
太陽電池装置については、設置の信頼性の向上と設置対象部への負荷の低減とをバランス良く実現させる点で改善の余地がある。
【課題を解決するための手段】
【０００６】
太陽電池装置が開示される。
【０００７】
太陽電池装置の一態様は、１つ以上の太陽電池モジュールと、保持部と、を備えている。前記保持部は、設置対象部の上に位置し、前記１つ以上の太陽電池モジュールを保持している。前記設置対象部は、第１基体と、複数本の長尺部材と、第２基体と、を有している。前記複数本の長尺部材は、前記第１基体の上において第１方向に間隔を空けて並んでおり且つ前記第１方向に交差している第２方向に沿った長手方向を有している。前記第２基体は、前記複数本の長尺部材の上に位置しており、凸状部分と、第１被支持部分と、第２被支持部分と、を有している。前記凸状部分は、前記第１基体から離れる方向に突出しており且つ前記第１方向に沿って延びている状態で位置している。前記第１被支持部分は、前記凸状部分の前記第２方向の側に位置している状態で前記複数本の長尺部材によって支持されている。前記第２被支持部分は、前記凸状部分の前記第２方向とは逆の第３方向の側に位置している状態で前記複数本の長尺部材によって支持されている。前記保持部は、前記第２基体の上に位置しており、支持部材と、固定部と、を有している。前記支持部材は、前記１つ以上の太陽電池モジュールを支持している。前記固定部は、前記第２基体を貫通しており且つ前記長尺部材に前記支持部材を固定している状態で位置している。前記支持部材は、溝型部分と、第１張出部分と、第２張出部分と、を有している。前記溝型部分は、前記凸状部分を覆っており且つ前記第１方向に延びている状態で位置しているとともに前記第２基体側が開口している。前記第１張出部分は、前記溝型部分の前記第２方向の側の領域から前記第２方向に張り出している状態で位置しており且つ前記第１被支持部分を介して前記長尺部材によって支持されている。前記第２張出部分は、前記溝型部分の前記第３方向の側の領域から前記第３方向に張り出している状態で位置しており且つ前記第２被支持部分を介して前記長尺部材によって支持されている。
【発明の効果】
【０００８】
例えば、太陽電池装置における設置の信頼性の向上と設置対象部への負荷の低減とをバランス良く実現することができる。
【図面の簡単な説明】
【０００９】
【図１】図１は、一実施形態に係る太陽電池装置が屋根上に位置している様子の一例を示す斜視図である。
【図２】図２は、屋根の構造の一例を示す分解斜視図である。
【図３】図３は、太陽電池モジュールの一例の第１面側の外観を示す平面図である。
【図４】図４は、図３のIV−IV線に沿った太陽電池モジュールの切断面の一例を示す端面図である。
【図５】図５は、一実施形態に係る太陽電池装置が屋根上に位置している様子の一例を側方から見た側面図である。
【図６】図６は、一実施形態に係る太陽電池装置が屋根上に位置している様子の一例を正面から見た正面図である。
【図７】図７は、図１のVII部における太陽電池装置および屋根の外観を拡大して示す拡大斜視図である。
【図８】図８は、図５のVIII部における太陽電池装置の外観を拡大して示す拡大側面図である。
【図９】図９は、図５のIX-IX線に沿った太陽電池装置および屋根の断面の一例の一部を示す断面図である。
【図１０】図１０は、連結用部分の構造の一例を示す分解斜視図である。
【図１１】図１１は、図５のXI-XI線に沿った太陽電池装置および屋根の断面の一例の一部を示す断面図である。
【図１２】図１２は、図５のXI-XI線に沿った支持部材の断面を示す断面図である。
【図１３】図１３は、図５のXIII-XIII線に沿った太陽電池装置および屋根の断面の一例の一部を示す断面図である。
【発明を実施するための形態】
【００１０】
屋根の上に太陽電池モジュールを位置させた太陽電池装置がある。このような太陽電池装置には、屋根材の素材および形状などの特徴に適した構造が求められる。
【００１１】
ここで、例えば、屋根材の一種として、金属板にプレス加工などを施すことで凹凸および曲面などが形成された金属製瓦を用いる場合を想定する。この場合、例えば、金属製瓦を形成するために薄い金属板を使用すれば、金属製瓦の強度が低下する。このとき、例えば、太陽電池モジュールから金属製瓦に加わる負荷が低減されれば、金属製瓦に損傷が生じにくくなる。
【００１２】
そこで、例えば、野地板または垂木などに捩じ込んだネジ部材などによって太陽電池モジュールを支持することで、金属製瓦に加わる負荷を低減することが考えられる。
【００１３】
ところで、例えば、工場および倉庫などの屋根は、面積が広く、比較的大規模な太陽電池装置を設置するのに適している。これらの屋根については、例えば、経年劣化した波板スレートを板金屋根で覆って二重構造の屋根とすることで、改修が行われるケースが多い。このような形態では、波板を支持する垂木などの下地材から板金屋根までの距離が長い。このため、例えば、板金屋根が波板スレートなどを介して下地材に長いネジ部材などで固定されていれば、地震によって水平方向の外力が太陽電池モジュールに加わると、長いネジ部材に対して、該ネジ部材の軸方向に対して垂直な方向に揺動による負荷が加わる。このとき、長いネジ部材は、曲げ変形あるいは座屈などを生じるおそれがある。また、例えば、施工のばらつきによってネジ部材の軸が傾いている場合にも、太陽電池モジュール上に雪が積もれば、雪の荷重によってネジ部材が曲げ変形あるいは座屈などを生じるおそれがある。これにより、屋根に対する太陽電池モジュールの取り付けの強度が低下し得る。その結果、太陽電池装置における設置の信頼性が低下し得る。
【００１４】
また、太陽電池装置を設置する対象となる部分（設置対象部ともいう）としては、例えば、工場および倉庫などの外壁も考えられる。この外壁についても、上述した屋根の改修と同様に、二重構造の外壁とすることで改修を行うことが可能である。このため、上記の問題は、二重構造の設置対象部に対して太陽電池装置を設置する形態一般に共通する。
【００１５】
したがって、太陽電池装置については、設置の信頼性の向上と設置対象部への負荷の低減とをバランス良く実現させる点で改善の余地がある。
【００１６】
そこで、本願発明者らは、太陽電池装置について、設置の信頼性の向上と設置対象部への負荷の低減とをバランス良く実現させることができる技術を創出した。
【００１７】
これについて、以下、一実施形態を図面に基づいて説明する。図面においては同様な構成および機能を有する部分に同じ符号が付されており、下記説明では重複説明が省略される。図面は模式的に示されたものである。図１から図１３には、右手系のＸＹＺ座標系が付されている。このＸＹＺ座標系では、屋根の軒から棟に向かう方向が＋Ｙ方向とされ、＋Ｙ方向に直交し軒に沿うように延びる方向が＋Ｘ方向とされ、＋Ｘ方向と＋Ｙ方向との両方に直交する方向が＋Ｚ方向とされている。また、一実施形態では、＋Ｚ方向が上方向とされ、−Ｚ方向が下方向とされている。
【００１８】
＜１．一実施形態＞
図１で示されるように、一実施形態に係る太陽電池装置２００は、例えば、設置対象部としての傾斜した屋根１００の上に取り付けられている状態で位置している。以下、屋根１００の構成について、図１および図２に基づいて説明する。そして、一実施形態に係る太陽電池装置２００について、図１および図３から図１３に基づいて説明する。
【００１９】
＜１−１．屋根＞
図１および図２で示されるように、屋根１００は、第１基体としての第１屋根部１と、この第１屋根部１を上方から覆うように位置している第２基体としての第２屋根部２と、を有している二重構造の屋根である。このような構造の屋根１００は、例えば、経年劣化した第１屋根部１を上方から覆うように新たな第２屋根部２を配置する屋根の改修によって実現され得る。ここで、屋根１００は、例えば、下地材Ｆ０と、第１屋根部１と、複数本の長尺部材１１と、複数の固定用部材１２と、第２屋根部２と、を備えている。
【００２０】
下地材Ｆ０には、例えば、互いに平行に配置された複数の基体としての構造材などが採用される。構造材には、例えば、断面がＣ型状である長尺のＣ型鋼などが適用される。
【００２１】
第１屋根部１には、例えば、下地材Ｆ０の上に固定されている波板などが採用される。波板には、例えば、スレート波板あるいは鉄製の波板などが採用される。波板は、例えば、軒から棟へ向かう＋Ｙ方向（第１方向ともいう）に沿ってそれぞれ延びている状態で位置している凸部と凹部とが、＋Ｙ方向に直交し軒に沿うように延びる＋Ｘ方向（第２方向ともいう）において交互に並んでいる状態で位置している構造を有している。ここで、第１方向は、例えば、水平面に対して傾斜している。具体的には、例えば、第１屋根部１の軒側の部分が棟側の部分よりも低い位置に存在するように、第１屋根部１が水平面に対して傾斜している。
【００２２】
複数本の長尺部材１１は、第１屋根部１の上において、第１方向としての＋Ｙ方向に間隔を空けて並んでいる。各長尺部材１１は、例えば、第２方向としての＋Ｘ方向に沿った長手方向を有している。
【００２３】
複数の固定用部材１２は、第１屋根部１の上に複数本の長尺部材１１を固定するための部材である。図２の例では、各固定用部材１２は、例えば、キャップ部材１２ｗ、第１雄ねじ部材１２ｓ１、本体部材１２ｂ、雌ねじ部材１２ｎおよび第２雄ねじ部材１２ｓ２を有している。
【００２４】
キャップ部材１２ｗは、例えば、第１屋根部１に設けられた孔部１ｈを介した第２屋根部２側から第１屋根部１の下方への水の浸入を低減するための円環状の防水用の部材である。
【００２５】
第１雄ねじ部材１２ｓ１は、＋Ｚ方向に向けて順に、第１雄ねじ部分Ｍｓ１と、円柱部分Ｃｐ０と、六角部Ｈｘ０と、第２雄ねじ部分Ｍｓ２と、を有している。第１雄ねじ部分Ｍｓ１は、タッピングねじのねじ山を有している。第２雄ねじ部分Ｍｓ２は、雌ねじ部材１２ｎと組合せが可能であるねじ山を有している。円柱部分Ｃｐ０は、第１雄ねじ部分Ｍｓ１と第２雄ねじ部分Ｍｓ２との中間に位置している円柱状の部分である。六角部Ｈｘ０は、円柱部分Ｃｐ０の＋Ｚ方向の側の部分に位置している。
【００２６】
本体部材１２ｂは、第１屋根部１の凸部に沿うように位置し、ＸＺ平面に平行な断面が下向きのＵ字状の形状を有するように曲がっている板状の部材である。換言すれば、本体部材１２ｂは、＋Ｚ方向に凹んでいる状態で曲がっている形状を有している板状の部材である。この本体部材１２ｂは、＋Ｚ方向の側に位置している部分（上面部分ともいう）に、１つの孔部１２ｈ１と、２つの孔部１２ｈ２と、を有している。
【００２７】
雌ねじ部材１２ｎは、第２雄ねじ部分Ｍｓ２と組み合わせることが可能な雌ねじを有する部材である。この雌ねじ部材１２ｎには、例えば、ステンレス製の六角ナットまたは四角ナットなどのナット部材が採用される。
【００２８】
第２雄ねじ部材１２ｓ２には、例えば、−Ｚ方向の先端が尖ったタッピングねじが採用される。
【００２９】
ここで、第１屋根部１の上に複数の固定用部材１２を取り付ける際には、例えば、第１雄ねじ部材１２ｓ１が、第１雄ねじ部分Ｍｓ１によって、第１屋根部１に設けた孔部１ｈにキャップ部材１２ｗを介して挿通され、下地材Ｆ０に雌ねじを切りながら締結される。次に、この第１雄ねじ部材１２ｓ１の第２雄ねじ部分Ｍｓ２が、本体部材１２ｂの孔部１２ｈ１に挿通するように、本体部材１２ｂが第１屋根部１の上に載置される。このとき、本体部材１２ｂが、第１屋根部１の凸部に沿うように配置される。次に、第２雄ねじ部分Ｍｓ２のうちの本体部材１２ｂから＋Ｚ方向に突出している部分に、雌ねじ部材１２ｎが組み合わされて締結される。これにより、第１屋根部１の上に固定用部材１２が取り付けられる。このような手順で、第１屋根部１の上のうち、Ｘ方向に沿って間隔を空けた複数の位置に複数の固定用部材１２が並ぶように固定される。
【００３０】
さらに、ここで、第１屋根部１の上に複数本の長尺部材１１を取り付ける際には、例えば、長尺部材１１は、第１屋根部１の上に＋Ｘ方向に沿って並ぶように取り付けられた２つ以上の固定用部材１２の上に載置される。このとき、これらの＋Ｘ方向に沿って並んでいる２つ以上の固定用部材１２の間に架設されるように長尺部材１１が配置される。次に、長尺部材１１の上から長尺部材１１のフランジ部および固定用部材１２の２つの孔部１２ｈ２を貫通するように、第２雄ねじ部材１２ｓ２がねじ込まれることで、各固定用部材１２に対して、長尺部材１１が取り付けられる。このような手順で、第１屋根部１の上において、第１方向としての＋Ｙ方向に間隔を空けて並ぶように複数本の長尺部材１１が取り付けられる。
【００３１】
第２屋根部２は、複数本の長尺部材１１の上に位置している。この第２屋根部２は、第１屋根部１から離れる方向に突出しており且つ第１方向としての＋Ｙ方向に延びている状態で位置している凸状の部分（凸状部分ともいう）２ｃを有している。また、第２屋根部２は、第２方向としての＋Ｘ方向において、凸状部分２ｃの両側に位置している状態で複数本の長尺部材１１によって支持されている部分（被支持部分ともいう）２ｆを有している。この被支持部分２ｆは、例えば、ＸＹ平面に沿った平坦な形状を有している。ここで、例えば、ある凸状部分２ｃを基準とした場合に、被支持部分２ｆには、凸状部分２ｃの第２方向としての＋Ｘ方向の側に位置している状態で複数本の長尺部材１１によって支持されている部分（第１被支持部分ともいう）２ｆ１が含まれている。また、この場合に、被支持部分２ｆには、凸状部分２ｃの第２方向とは逆の方向（第３方向ともいう）としての−Ｘ方向の側に位置している状態で複数本の長尺部材１１によって支持されている部分（第２被支持部分ともいう）２ｆ２が含まれている。図２の例では、複数の凸状部分２ｃが＋Ｘ方向に間隔を空けて並んでいる。
【００３２】
ここで、複数本の長尺部材１１の上に第２屋根部２を取り付ける際には、例えば、第２屋根部２が、複数本の長尺部材１１の上に載置される。次に、例えば、−Ｚ方向の先端が尖ったタッピングねじである第３雄ねじ部材２ｓを、第２屋根部２に設けた孔部２ｈに防水用のキャップ部材２ｗを介して挿通させる。そして、この第３雄ねじ部材２ｓが長尺部材１１に雌ねじを切りながら締結される。このような手順で、複数本の第３雄ねじ部材２ｓによって複数本の長尺部材１１の上に第２屋根部２が取り付けられる。
【００３３】
上記のようにして、第１屋根部１の葺き替えを行うことなく、屋内側からの作業を行わなくても、第１屋根部１の上から、複数個の固定用部材１２、複数本の長尺部材１１および第２屋根部２を、この記載の順に容易に取り付けることができる。
【００３４】
＜１−２．太陽電池装置＞
図１で示されるように、太陽電池装置２００は、例えば、複数の太陽電池モジュール３ｍｏと、保持部２０と、を有している。図１の例では、複数の太陽電池モジュール３ｍｏは、＋Ｙ方向に沿って並んでいる状態で位置している。換言すれば、複数の太陽電池モジュール３ｍｏは、平面的に並んでいる。
【００３５】
＜１−２−１．太陽電池モジュール＞
図３および図４で示されるように、各太陽電池モジュール３ｍｏは、例えば、太陽電池パネルＰｎ１と、この太陽電池パネルＰｎ１の外縁部を補強しているフレームＦ１と、を有している。
【００３６】
太陽電池パネルＰｎ１は、主として光を受光する受光面としての第１面Ｓｆ１と、この第１面Ｓｆ１の逆側に位置している裏面としての第２面Ｓｆ２と、を有している。
【００３７】
太陽電池パネルＰｎ１は、例えば、第１面Ｓｆ１側から順に、透光性基板Ｔｒ１、第１封止材Ｓｅ１と、光電変換部Ｐｃ１と、第２封止材Ｓｅ２と、裏面保護部材Ｂａ１と、端子ボックスＢｘ１と、を備えている。
【００３８】
透光性基板Ｔｒ１は、例えば、光電変換部Ｐｃ１の第１面Ｓｆ１側に位置している。ここでは、透光性基板Ｔｒ１の＋Ｚ方向の側の表面が第１面Ｓｆ１を構成している。透光性基板Ｔｒ１は、例えば、光電変換部Ｐｃ１を保護する役割と、光電変換部Ｐｃ１を封止する役割と、を有する。透光性基板Ｔｒ１は、例えば、特定範囲の波長の光に対する透光性を有している。特定範囲の波長としては、例えば、太陽電池パネルＰｎ１に照射される光に含まれる強度が高い光の波長であって、光電変換部Ｐｃ１が光電変換し得る光の波長が採用される。透光性基板Ｔｒ１の素材として、例えば、ガラスあるいはアクリルまたはポリカーボネートなどの樹脂が採用されれば、透光性を有する透光性基板Ｔｒ１が実現され得る。ガラスには、例えば、厚さが２ｍｍから５ｍｍ程度の白板ガラス、強化ガラスまたは熱線反射ガラスなどの光透過率の高い材料が採用される。透光性基板Ｔｒ１の形状としては、例えば、平板状などの板状の形状が採用される。
【００３９】
第１封止材Ｓｅ１は、例えば、透光性基板Ｔｒ１と光電変換部Ｐｃ１との間に位置している。第２封止材Ｓｅ２は、例えば、光電変換部Ｐｃ１と裏面保護部材Ｂａ１との間に位置している。換言すれば、第１封止材Ｓｅ１と第２封止材Ｓｅ２とが、例えば、光電変換部Ｐｃ１を覆うように、透光性基板Ｔｒ１と裏面保護部材Ｂａ１との間に充填された状態で位置している。第１封止材Ｓｅ１および第２封止材Ｓｅ２は、例えば、光電変換部Ｐｃ１を保持する役割と、光電変換部Ｐｃ１を封止する役割と、を有する。第１封止材Ｓｅ１および第２封止材Ｓｅ２は、透光性基板Ｔｒ１と同様に透光性を有している。第１封止材Ｓｅ１および第２封止材Ｓｅ２の素材には、例えば、熱硬化性樹脂などが採用される。熱硬化性樹脂には、例えば、エチレン酢酸ビニル共重合体（ＥＶＡ）あるいはポリビニルブチラール（ＰＶＢ）を主成分とするものが含まれる。熱硬化性樹脂には、架橋剤が含有されてもよい。ここで、主成分とは、含有される比率（含有率ともいう）が最も大きい（高い）成分のことを意味する。
【００４０】
光電変換部Ｐｃ１は、例えば、複数の太陽電池素子Ｃ１と、複数の第１配線材Ｗ１と、複数の第２配線材Ｗ２と、を有している。図３の例では、光電変換部Ｐｃ１では、例えば、複数の太陽電池素子Ｃ１は、２次元的に並んでいる状態で位置している。具体的には、光電変換部Ｐｃ１には、例えば、複数（ここでは６つ）の太陽電池ストリングＳ１が含まれている。各太陽電池ストリングＳ１は、例えば、複数（ここでは、１０個）の太陽電池素子Ｃ１と、複数の第１配線材Ｗ１と、を含む。複数の第１配線材Ｗ１は、例えば、複数の太陽電池素子Ｃ１のうちの相互に隣り合う太陽電池素子Ｃ１の間をそれぞれ電気的に接続している。複数の第２配線材Ｗ２は、複数の太陽電池ストリングＳ１のうちの相互に隣り合う太陽電池ストリングＳ１の間をそれぞれ電気的に接続している。
【００４１】
裏面保護部材Ｂａ１は、例えば、光電変換部Ｐｃ１の第２面Ｓｆ２側に位置している。ここでは、裏面保護部材Ｂａ１の−Ｚ方向の側の表面が第２面Ｓｆ２を構成している。裏面保護部材Ｂａ１は、例えば、光電変換部Ｐｃ１を保護する役割と、光電変換部Ｐｃ１を封止する役割と、を有する。裏面保護部材Ｂａ１は、例えば、透光性を有していてもよいし、透光性を有していなくてもよい。裏面保護部材Ｂａ１としては、例えば、柔軟性を有するシート状の部材（シート部材ともいう）あるいは板状の部材などが採用される。シート部材の素材には、例えば、樹脂が適用される。板状の部材の素材、形状および厚さは、例えば、透光性基板Ｔｒ１の素材、形状および厚さと同様なものが採用されてもよい。
【００４２】
端子ボックスＢｘ１は、光電変換部Ｐｃ１で得られた出力を外部に取り出すことができる。端子ボックスＢｘ１は、例えば、第２面Ｓｆ２上に位置している。端子ボックスＢｘ１は、例えば、シリコンシーラントなどの樹脂が用いられて、第２面Ｓｆ２に固定され得る。端子ボックスＢｘ１は、例えば、箱体と、端子板と、ケーブルと、を有している。箱体の素材には、例えば、変性ポリフェニレンエーテル樹脂（変性ＰＰＥ樹脂）またはポリフェニレンオキサイド樹脂（ＰＰＯ樹脂）が適用される。端子板は、箱体内に位置しており、光電変換部Ｐｃ１の第２配線材Ｗ２が接続されている。ケーブルは、箱体の外部へ電力を導出することができる。
【００４３】
フレームＦ１は、太陽電池パネルＰｎ１を保持する機能を有する。フレームＦ１は、例えば、太陽電池パネルＰｎ１が嵌合することが可能な構造を有している。フレームＦ１は、太陽光を受光する側に位置するフレーム上面と、このフレーム上面の裏面側に位置するフレーム下面と、フレーム上面とフレーム下面とを接続しているフレーム側面と、を有している。フレームＦ１は、例えば、アルミニウムの押し出し成形などで作製され得る。
【００４４】
＜１−２−２．保持部＞
保持部２０は、第２屋根部２の上に位置している。この保持部２０は、複数の太陽電池モジュール３ｍｏを保持している状態で位置している。
【００４５】
図１、図５および図６で示されるように、保持部２０は、複数の支持部材４と、複数の第１固定部５ａと、を有している。複数の支持部材４は、第２屋根部２の上において、第２方向としての＋Ｘ方向に間隔を空けて並んでいる。各支持部材４は、例えば、第１方向としての＋Ｙ方向に沿った長手方向を有している。図５の例では、保持部２０は、各支持部材４に対して、第１固定部５ａと、第２固定部５ｂと、第３固定部５ｃと、第１クランプ用部材６ａと、第２クランプ用部材６ｂと、を有している。
【００４６】
＜１−２−２−１．支持部材＞
支持部材４は、複数の太陽電池モジュール３ｍｏを支持している。図１および図５の例では、１本の支持部材４が、３つの太陽電池モジュール３ｍｏを支持している。
【００４７】
図７および図９で示されるように、支持部材４は、溝型部分４ｇと、頂部分４ｔと、第１張出部分４ｐ１と、第２張出部分４ｐ２と、を有している。
【００４８】
溝型部分４ｇは、第１方向としての＋Ｙ方向に沿って延びており且つ第２屋根部２の凸状部分２ｃを覆っている状態で位置している。この溝型部分４ｇは、第２屋根部２の側が開口している。図７および図９の例では、溝型部分４ｇは、第２屋根部２の凸状部分２ｃに沿って位置し、ＸＺ平面に平行な断面が下向きのＵ字状の形状を有するように曲がっている板状の部材である。換言すれば、溝型部分４ｇは、溝内空間４ｇｒを有するように＋Ｚ方向に凹んでいる状態で曲がっている形状を有している板状の部材である。
【００４９】
頂部分４ｔは、溝型部分４ｇの第２屋根部２へ近い側とは反対側に位置している。換言すれば、頂部分４ｔは、溝型部分４ｇの太陽電池モジュール３ｍｏへ近い側に位置している。図７および図９の例では、頂部分４ｔは、溝型部分４ｇの上に位置している。この頂部分４ｔが、複数の太陽電池モジュール３ｍｏを支持している。より具体的には、図５、図７、図９および図１１の例では、頂部分４ｔで支持されている太陽電池モジュール３ｍｏが、頂部分４ｔと第１クランプ用部材６ａおよび第２クランプ用部材６ｂとで保持されている。
【００５０】
第１張出部分４ｐ１は、溝型部分４ｇの第２方向としての＋Ｘ方向の側の領域から第２方向に張り出している状態で位置している。図７、図９、図１１および図１３で示されるように、第１張出部分４ｐ１は、第２屋根部２の第１被支持部分２ｆ１によって支持されている。さらに、この第１張出部分４ｐ１は、第２屋根部２の第１被支持部分２ｆ１を介して長尺部材１１によって支持されている。図９、図１１および図１３の例では、第１被支持部分２ｆ１と第１張出部分４ｐ１との間には、スペーサー２１が存在している。スペーサー２１としては、例えば、シート状の樹脂などが採用される。このスペーサー２１は、例えば、存在していてもよいし、存在していなくてもよい。
【００５１】
第２張出部分４ｐ２は、溝型部分４ｇの第３方向としての−Ｘ方向の側の領域から第３方向に張り出している状態で位置している。図７、図９、図１１および図１３で示されるように、第２張出部分４ｐ２は、第２屋根部２の第２被支持部分２ｆ２によって支持されている。さらに、この第２張出部分４ｐ２は、第２屋根部２の第２被支持部分２ｆ２を介して長尺部材１１によって支持されている。図９、図１１および図１３の例では、第２被支持部分２ｆ２と第２張出部分４ｐ２との間にも、スペーサー２１が存在している。
【００５２】
支持部材４は、例えば、アルミニウムの押し出し加工または鋳造ならびに穴あけ加工などによって形成され得る。
【００５３】
＜１−２−２−２．第１固定部＞
図９で示されるように、第１固定部５ａは、第２屋根部２を貫通しており且つ長尺部材１１に支持部材４を固定している状態で位置している。
【００５４】
ここでは、上述したように、例えば、支持部材４の第１張出部分４ｐ１が第２屋根部２の第１被支持部分２ｆ１を介して長尺部材１１に支持されており、支持部材４の第２張出部分４ｐ２が第２屋根部２の第２被支持部分２ｆ２を介して長尺部材１１に支持されている。このため、例えば、仮に太陽電池モジュール３ｍｏに積雪などによって正圧荷重が加わっても、長尺部材１１と支持部材４とを固定している第１固定部５ａにおいて、曲げ変形あるいは座屈などが生じにくい。また、例えば、太陽電池モジュール３ｍｏに加わる荷重は、支持部材４の第１張出部分４ｐ１および第２張出部分４ｐ２によって第２屋根部２に対して分散されて伝わる。これにより、例えば、第２屋根部２が破損しにくい。
【００５５】
また、例えば、仮に太陽電池モジュール３ｍｏに地震の揺れなどによって横方向（ここでは第２方向）に荷重が加わっても、支持部材４の第１張出部分４ｐ１および第２張出部分４ｐ２によって、第１固定部５ａが長尺部材１１への締結部を中心として横方向に揺動しにくい。このため、第１固定部５ａに折れなどの破損が生じにくい。その結果、例えば、第２屋根部２に対する太陽電池モジュール３ｍｏの取り付けの強度が向上し得る。したがって、例えば、太陽電池装置２００における設置の信頼性の向上と屋根１００への負荷の低減とをバランス良く実現することができる。
【００５６】
また、一実施形態では、例えば、複数本の支持部材４と、複数本の長尺部材１１とが、第２屋根部２の被支持部分２ｆを挟んで井桁状の構造を構成している。このため、太陽電池モジュール３ｍｏに加わる荷重が分散された上で屋根１００に加わり得る。これにより、例えば、屋根１００が破損しにくい。その結果、例えば、太陽電池装置２００の設置の信頼性が向上し得る。
【００５７】
図９で示すように、第１固定部５ａは、第１締結用部分５ａ１と、第２締結用部分５ａ２と、連結用部分５ａ３と、を有している。
【００５８】
＜１−２−２−２−１．第１締結用部分＞
第１締結用部分５ａ１は、第１方向としての＋Ｙ方向と第２方向としての＋Ｘ方向とに直交する方向（第４方向ともいう）としての＋Ｚ方向に沿って、第２屋根部２を貫通しており且つ長尺部材１１に締結されている状態で位置している。換言すれば、第１締結用部分５ａ１は、長尺部材１１に固定されている。図９の例では、第１締結用部分５ａ１として、第３雄ねじ部分５ａ１ｓと頭部５ａ１ｈとを有するタッピングねじが採用されている。
【００５９】
＜１−２−２−２−２．第２締結用部分＞
第２締結用部分５ａ２は、第４方向としての＋Ｚ方向に沿って支持部材４を貫通しており且つ支持部材４に固定されている状態で位置している。
【００６０】
図９で示されるように、第２締結用部分５ａ２は、例えば、雄ねじ部材５ａ２ｓと、第１雌ねじ部材５ａ２ｎ１と、第２雌ねじ部材５ａ２ｎ２と、を有している。雄ねじ部材５ａ２ｓとしては、例えば、スタッドボルトおよび寸切りボルトなどの雄ねじ部分を有する部材が採用される。図９の例では、雄ねじ部材５ａ２ｓは、支持部材４の頂部分４ｔ側に設けられた孔部および第１クランプ用部材６ａに設けられた孔部に挿通された状態で位置している。
【００６１】
第１雌ねじ部材５ａ２ｎ１は、雄ねじ部材５ａ２ｓのうちの−Ｚ方向の端部側に位置している雄ねじ部分に組合せられている状態で位置している。図１０で示されるように、第１雌ねじ部材５ａ２ｎ１には、例えば、ねじ穴Ｎｈ１とこのねじ穴Ｎｈ１を囲むように相対する複数組の平面状の外周面を有する、六角ナットまたは四角ナットなどのナット部材が適用される。
【００６２】
第２雌ねじ部材５ａ２ｎ２は、雄ねじ部材５ａ２ｓのうちの＋Ｚ方向の端部側に位置している雄ねじ部分に組合せられている状態で位置している。第２雌ねじ部材５ａ２ｎ２には、例えば、フランジ付きのナットなどのネット部材が適用される。図９の例では、第２雌ねじ部材５ａ２ｎ２が雄ねじ部材５ａ２ｓに対して締結されており、支持部材４と第２雌ねじ部材５ａ２ｎ２とが第１クランプ用部材６ａを挟持している状態にある。これにより、第２締結用部分５ａ２は、支持部材４に固定されている。
【００６３】
＜１−２−２−２−３．連結用部分＞
連結用部分５ａ３は、第１締結用部分５ａ１と第２締結用部分５ａ２とを連結している状態で位置している。ここで、仮に第１固定部５ａが第４方向としての＋Ｚ方向に沿った長尺の１本のタッピングねじなどの１本の棒状の部材で構成され、第１固定部材５ａが下地材Ｆ０へ固定されている場合と、一実施形態の構成と、を比較する。一実施形態の構成では、例えば、第２屋根部２および長尺部材１１に支持部材４を固定するための第１固定部５ａを構成する棒状の各部材の第４方向としての＋Ｚ方向に沿った長さが短くなる。これにより、例えば、仮に太陽電池モジュール３ｍｏに荷重が加わっても第１固定部５ａを構成する棒状の各部材において曲げ変形、座屈および折れなどの破損が生じにくい。その結果、例えば、屋根１００に対する太陽電池モジュール３ｍｏの取り付けの強度が向上し得る。
【００６４】
図９および図１０で示されるように、連結用部分５ａ３は、例えば、第１部分Ｐ１と、第２部分Ｐ２と、第３部分Ｐ３と、を含んでいる。
【００６５】
第１部分Ｐ１は、連結用部分５ａ３のうちの第４方向とは逆方向（第５方向ともいう）しての−Ｚ方向の側に位置している。この第１部分Ｐ１は、連結用部分５ａ３のうちの下部の壁部分（下壁部分ともいう）を構成している。第１部分Ｐ１には、例えば、第１締結用部分５ａ１が第４方向としての＋Ｚ方向に沿って貫通している状態で位置している孔部（第１孔部ともいう）５ａ３ｈ１が存在している。第１部分Ｐ１としては、例えば、第４方向としての＋Ｚ方向に貫通している第１孔部５ａ３ｈ１を有する板状の部分が採用される。
【００６６】
第２部分Ｐ２は、第１部分Ｐ１との間に空間（内部空間ともいう）Ｉｓ１を挟んでいる状態で、連結用部分５ａ３のうちの第４方向としての＋Ｚ方向の側に位置している。この第２部分Ｐ２は、連結用部分５ａ３のうちの上部の壁部分（上壁部分ともいう）を構成している。第２部分Ｐ２には、例えば、第２締結用部分５ａ２が第４方向としての＋Ｚ方向に沿って貫通している状態で位置している孔部（第２孔部ともいう）５ａ３ｈ２が存在している。第２部分Ｐ２としては、例えば、第４方向としての＋Ｚ方向に貫通している第２孔部５ａ３ｈ２を有する板状の部分が採用される。
【００６７】
第３部分Ｐ３は、第１部分Ｐ１と第２部分Ｐ２とを連結している状態で位置している。この第３部分Ｐ３は、連結用部分５ａ３のうちの側方の壁部分（側壁部分ともいう）を構成している。図９および図１０の例では、第３部分Ｐ３には、相互に対向している一対の側壁部分が含まれている。ここでは、例えば、一対の側壁部分としての第１の側壁部分と第２の側壁部分とが、内部空間Ｉｓ１を挟んでいる状態で位置している。
【００６８】
図９および図１０の例では、連結用部分５ａ３は、第１部分Ｐ１と、第２部分Ｐ２と、第３部分Ｐ３と、が内部空間Ｉｓ１を形成している環状の部材を構成している。この連結用部分５ａ３には、＋Ｙ方向の側および−Ｙ方向の側にそれぞれ開口が存在している。この開口を介して、連結用部分５ａ３の内部空間Ｉｓ１に、第１雌ねじ部材５ａ２ｎ１および第１締結用部分５ａ１が挿入され得る。このような構成を有する連結用部分５ａ３は、例えば、金属製の板をプレス加工することなどによって形成され得る。このような構成が採用されれば、例えば、連結用部分５ａ３の構成が比較的簡単なものであり、連結用部分５ａ３が比較的容易に形成され得る。
【００６９】
ここで、第２屋根部２の上に支持部材４が固定される際には、まず、第１締結用部分５ａ１は、第３雄ねじ部分５ａｌｓが第１部分Ｐ１の第１孔部５ａ３ｈ１に−Ｚ方向に向けて挿通されている状態で、頭部５ａ１ｈが第１部分Ｐ１に引っ掛かった状態とされる。そして、例えば、第１締結用部分５ａ１が、第３雄ねじ部分５ａ１ｓによって、第２屋根部２に設けられた挿通孔にキャップ部材５ａｗ２を介して挿通され、長尺部材１１に雌ねじを切りながら締結される。その結果、図９で示されるように、第１締結用部分５ａ１は、長尺部材１１および第２屋根部２に連結用部分５ａ３を固定している状態で位置している状態となる。ここで、キャップ部材５ａｗ２は、例えば、第２屋根部２に設けられた挿通孔を介した太陽電池モジュール３ｍｏ側から第１屋根部１へ向けた水の浸入を低減するための円環状の防水用の部材である。
【００７０】
次に、第２部分Ｐ２の第２孔部５ａ３ｈ２と第１雌ねじ部材５ａ２ｎ１のねじ穴Ｎｈ１とが連通するように内部空間Ｉｓ１に第１雌ねじ部材５ａ２ｎ１を配置させる。このとき、第１雌ねじ部材５ａ２ｎ１の外周面と、第３部分Ｐ３の内壁部分とが当接し、第１雌ねじ部材５ａ２ｎ１が、第３部分Ｐ３との当接によって回転しないように位置している状態となる。この状態で、第１雌ねじ部材５ａ２ｎ１に、雄ねじ部材５ａ２ｓの−Ｚ方向の側の雄ねじ部分が組み合わされる。さらに、この雄ねじ部材５ａ２ｓの＋Ｚ方向の側の雄ねじ部分が頂部分４ｔ側に設けられた孔部を挿通するように支持部材４が配置される。さらに、この雄ねじ部材５ａ２ｓの＋Ｚ方向の側の雄ねじ部分が第１クランプ用部材６ａに設けられた孔部を挿通するように第１クランプ用部材６ａが配置される。そして、雄ねじ部材５ａ２ｓの＋Ｚ方向の側の雄ねじ部分に第２雌ねじ部材５ａ２ｎ２が組み合わされることで、図９で示されるように、第２屋根部２の上に支持部材４が固定される。このとき、支持部材４の上に第１クランプ用部材６ａも固定される。
【００７１】
ここで、第１部分Ｐ１と第２部分Ｐ２との間で、第４方向としての＋Ｚ方向において、第１締結用部分５ａ１と第２締結用部分５ａ２とが当接していてもよい。この場合には、例えば、第１締結用部分５ａ１と第２締結用部分５ａ２とは、当接していることで一体的な構成を形成している。これにより、例えば、太陽電池モジュール３ｍｏに荷重が加わった場合に、第１固定部５ａが、連結用部分５ａ３の位置で、関節のように折れ曲がりにくくなる。その結果、例えば、屋根１００に対する太陽電池モジュール３ｍｏの取り付けの強度が向上し得る。
【００７２】
＜１−２−２−３．第１クランプ用部材＞
図７および図８で示されるように、第１クランプ用部材６ａは、支持部材４の頂部分４ｔとの間で太陽電池モジュール３ｍｏを保持している。
【００７３】
図７および図８の例では、第１クランプ用部材６ａは、第１部６ａ１、第２部６ａ２および第３部６ａ３を含んでいる。第１部６ａ１は、ＸＹ平面に沿って延びるように存在している。この第１部６ａ１は、頂部分４ｔとの間で太陽電池モジュール３ｍｏの外周部に位置しているフレームＦ１を保持している。第３部６ａ３は、第１クランプ用部材６ａを頂部分４ｔ上に固定するための部分である。第３部６ａ３は、例えば、ＹＺ平面に沿った断面が下向きのＵ字状の形状を有している。ここでは、第３部６ａ３の＋Ｚ方向の側に位置する上面部に設けられた孔部に雄ねじ部材５ａ２ｓが貫通している状態で位置している第２締結用部分５ａ２によって、第１クランプ用部材６ａが頂部分４ｔ上に固定されている。第２部６ａ２は、第３部６ａ３と第１部６ａ１とを連結している部分である。図７および図８の例では、第２部６ａ２は、第３部６ａ３の＋Ｙ方向の端部から第４方向としての＋Ｚ方向に向かってＸＺ平面に沿って延びている状態で位置している板状の部分である。そして、第２部６ａ２の第４方向としての＋Ｚ方向の端部に第１部６ａ１が連結している。第１クランプ用部材６ａは、例えば、アルミニウムの押し出し加工または鋳造ならびに穴あけ加工などで形成され得る。
【００７４】
また、例えば、図５で示されるように、最も棟側（＋Ｙ方向の側）に位置している太陽電池モジュール３ｍｏの＋Ｙ方向の側の端部は、上述した第１クランプ用部材６ａが＋Ｙ方向において逆向きに位置している状態で支持部材４に固定されている。この場合には、例えば、長尺部材１１の位置との関係で、第１クランプ用部材６ａは、第１固定部５ａおよび後述する第２固定部５ｂの何れの固定部によって固定されてもよい。
【００７５】
ところで、上述したように、屋根１００の軒側では、第１固定部５ａによって、第２屋根部２が貫通されており且つ長尺部材１１に支持部材４が固定されている状態にある。このため、屋根１００の棟側から軒側への傾斜に拘わらず、太陽電池モジュール３ｍｏが屋根１００の上からずれて落下する不具合が生じにくい。
【００７６】
＜１−２−２−４．第２固定部＞
第２固定部５ｂは、図１１で示されるように、第２屋根部２を貫通しておらず、長尺部材１１に支持部材４を固定していない状態で位置している。第２固定部５ｂは、支持部材４に第２クランプ用部材６ｂを固定している。
【００７７】
図１１の例では、第２固定部５ｂは、第１固定部５ａを基本構成として、第１締結用部分５ａ１および連結用部分５ａ３が除かれ、第２締結用部分５ａ２が第２締結用部分５ｂ２に変更された構成を有している。第２締結用部分５ｂ２は、第２締結用部分５ａ２を基本構成として、雄ねじ部材５ａ２ｓが雄ねじ部材５ｂ２ｓに変更され、第１雌ねじ部材５ａ２ｎ１が除かれた構成を有している。雄ねじ部材５ｂ２ｓは、＋Ｚ方向に延びている状態で位置している雄ねじ部分５ｂ２ｓｓと、−Ｚ方向の側に位置している頭部５ｂ２ｓｈと、を有している。雄ねじ部材５ｂ２ｓとしては、例えば、六角ボルトなどのボルト部材が採用される。
【００７８】
ここで、頭部５ｂ２ｓｈは、例えば、頂部分４ｔに回動しないように係合されている状態で位置している。
【００７９】
図７および図１１で示されるように、頂部分４ｔは、第１方向としての＋Ｙ方向に沿って延びており、第２屋根部２の凸状部分２ｃとは逆側に開口している状態で位置している溝状の部分（溝状部分ともいう）４ｔｒを有している。換言すれば、溝状部分４ｔｒは、１以上の太陽電池モジュール３ｍｏが位置している側に開口している状態で位置している。より具体的には、図１２で示されるように、頂部分４ｔは、例えば、−Ｘ方向に並んでいる第１凸部４ｔｐ１と第２凸部４ｔｐ２とを有している。第１凸部４ｔｐ１および第２凸部４ｔｐ２は、それぞれ＋Ｚ方向に突出しており且つ＋Ｙ方向に沿って延びるように存在している。第１凸部４ｔｐ１は、第１突出部分Ｓｔ１と、第１突起部分Ｐｒ１と、を有している。第１突出部分Ｓｔ１は、溝型部分４ｇの＋Ｚ方向の側の上面部から＋Ｚ方向に突出している部分である。第１突起部分Ｐｒ１は、第１突出部分Ｓｔ１の＋Ｚ方向の上端部から第２凸部４ｔｐ２に向けて突起している部分である。第２凸部４ｔｐ２は、第２突出部分Ｓｔ２と、第２突起部分Ｐｒ２と、を有している。第２突出部分Ｓｔ２は、溝型部分４ｇの＋Ｚ方向の側の上面部から＋Ｚ方向に突出している部分である。第２突起部分Ｐｒ２は、第２突出部分Ｓｔ２の＋Ｚ方向の上端部から第１凸部４ｔｐ１に向けて突起している部分である。また、溝状部分４ｔｒは、＋Ｙ方向および−Ｙ方向の少なくとも一方向の端部において開口している。このため、頂部分４ｔは、頭部５ｂ２ｓｈが溝状部分４ｔｒの端から溝状部分４ｔｒ内に挿入され得る構成を有している。ここで、溝状部分４ｔｒ内に頭部５ｂ２ｓｈを挿入する位置は、溝状部分４ｔｒの端部にかぎられるものではない。例えば、＋Ｙ方向において第１凸部４ｔｐ１と第２凸部４ｔｐ２とを部分的に切除したり、＋Ｙ方向において第１突起部分Ｐｒ１と第２突起部分Ｐｒ２とを部分的に切除したりするなどして、頭部５ｂ２ｓｈを挿入させることが可能な部分を存在させてもよい。
【００８０】
ここでは、図１１で示されるように、溝状部分４ｔｒに頭部５ｂ２ｓｈが係合されている雄ねじ部材５ｂ２ｓの雄ねじ部分５ｂ２ｓｓに、第２クランプ用部材６ｂの第３部６ａ３の孔部が貫通されるように第２クランプ用部材６ｂが位置している。そして、この雄ねじ部分５ｂ２ｓｓに第２雌ねじ部材５ａ２ｎ２が組み合わされていることで、雄ねじ部材５ｂ２ｓと第２雌ねじ部材５ａ２ｎ２とが、支持部材４と第２クランプ用部材６ｂとを締結している状態にある。このとき、溝状部分４ｔｒに頭部５ｂ２ｓｈが回動しないように係合されている雄ねじ部材５ｂ２ｓとしてのボルト部材が、第２クランプ用部材６ｂを介して、太陽電池モジュール３ｍｏを保持している状態にある。換言すれば、溝状部分４ｔｒは、支持部材４の上で締結によって１以上の太陽電池モジュール３ｍｏを保持するための雄ねじ部材５ｂ２ｓとしてのボルト部材の頭部５ｂ２ｓｈが回動しないように係合されて収容している状態にある。
【００８１】
そして、例えば、溝状部分４ｔｒに対して雄ねじ部材５ｂ２ｓを摺り動かすことができる。具体的には、例えば、溝状部分４ｔｒに雄ねじ部材５ｂ２ｓの頭部５ｂ２ｓｈが回動しないように係合されて収容されている状態で、支持部材４上において雄ねじ部材５ｂ２ｓの移動させることができる。これにより、支持部材４上に太陽電池モジュール３ｍｏを取り付ける際に、支持部材４の上において第２クランプ用部材６ｂの位置をシフトさせることができる。このため、例えば、第１方向（＋Ｙ方向）において長尺部材１１の位置と太陽電池モジュール３ｍｏの端部の位置とがずれていても、長尺部材１１に固定されていない第２固定部５ｂによって、支持部材４に太陽電池モジュール３ｍｏを取り付けることができる。これにより、例えば、屋根１００に対する太陽電池モジュール３ｍｏの取り付けの強度が向上し得る。ここでは、雄ねじ部材５ｂ２ｓは、例えば、雄ねじ部分５ｂ２ｓｓと頭部５ｂ２ｓｈとが別の部材で構成されていてもよい。この場合、例えば、雄ねじ部分５ｂ２ｓｓの代わりに、寸切りボルトなどが採用され、頭部５ｂ２ｓｈの代わりに、寸切りボルトに組み合わされている六角ナットなどのナット部材が採用されてもよい。
【００８２】
＜１−２−２−５．第２クランプ用部材＞
第２クランプ用部材６ｂは、＋Ｙ方向に隣り合って並んでいる２枚の太陽電池モジュール３ｍｏの間において、これらの２枚の太陽電池モジュール３ｍｏを、支持部材４の頂部分４ｔとの間で保持している部材である。この第２クランプ用部材６ｂとしては、例えば、上述した第１クランプ用部材６ａを基本構成として、第３部６ａ３の−Ｙ方向の端部にも連結するように、第１部６ａ１および第２部６ａ２と同様な構成が追加されたものが採用され得る。この場合には、第２クランプ用部材６ｂは、ＸＺ平面に対して面対称の関係にある、一対の第１部６ａ１および第２部６ａ２の組を有している。
【００８３】
＜１−２−２−６．第３固定部＞
図１３で示されるように、第３固定部５ｃは、第１固定部５ａと同様に、第２屋根部２を貫通しており且つ長尺部材１１に支持部材４を固定している状態で位置している。このため、第３固定部５ｃには、例えば、第１固定部５ａと同様な構成を有するものが採用される。しかしながら、第３固定部５ｃは、太陽電池モジュール３ｍｏを保持するための第１クランプ用部材６ａおよび第２クランプ用部材６ｂの何れも固定していない。ただし、図１３で示されるように、第３固定部５ｃでは、例えば、第１クランプ用部材６ａの代わりに、ダミー材５ｃｄを固定してもよい。ダミー材５ｃｄには、例えば、雄ねじ部材５ａ２ｓが貫通するように位置している孔部を有する平板などが適用される。
【００８４】
＜１−３．一実施形態のまとめ＞
一実施形態に係る太陽電池装置２００では、例えば、支持部材４の第１張出部分４ｐ１が第２屋根部２の第１被支持部分２ｆ１を介して長尺部材１１に支持されている。また、例えば、支持部材４の第２張出部分４ｐ２が第２屋根部２の第２被支持部分２ｆ２を介して長尺部材１１に支持されている。これにより、例えば、仮に太陽電池モジュール３ｍｏに積雪などによる正圧荷重が加わっても、長尺部材１１と支持部材４とを固定している第１固定部５ａおよび第３固定部５ｃに、曲げ変形あるいは座屈などが生じにくい。また、このとき、太陽電池モジュール３ｍｏに加わる荷重は、例えば、支持部材４の第１張出部分４ｐ１および第２張出部分４ｐ２の存在によって、第２屋根部２に対して分散されて伝わり得る。これにより、例えば、第２屋根部２が破損しにくい。
【００８５】
また、例えば、仮に太陽電池モジュール３ｍｏに地震の揺れなどによる横方向に荷重が加わっても、支持部材４の第１張出部分４ｐ１および第２張出部分４ｐ２の存在によって第１固定部５ａおよび第３固定部５ｃは長尺部材１１への締結部を中心として横方向に揺動しにくい。これにより、第１固定部５ａおよび第３固定部５ｃに折れなどの破損が生じにくい。このため、例えば、第２屋根部２に対する太陽電池モジュール３ｍｏの取り付けの強度が向上し得る。
【００８６】
したがって、例えば、太陽電池装置２００における設置の信頼性の向上と、設置対象部としての屋根への負荷の低減と、をバランス良く実現することができる。
【００８７】
また、例えば、複数本の支持部材４と、複数本の長尺部材１１とが、第２屋根部２の被支持部分２ｆを挟んで井桁状の構造を構成していれば、太陽電池モジュール３ｍｏに加わる荷重は、分散された上で屋根１００に加わる。これにより、例えば、屋根１００が破損しにくい。
【００８８】
＜２．その他＞
本開示は上述の一実施形態に限定されるものではなく、本開示の要旨を逸脱しない範囲において種々の変更、改良などが可能である。
【００８９】
上記一実施形態では、例えば、太陽電池装置２００は、１つの太陽電池モジュール３ｍｏを有するものであってもよい。換言すれば、例えば、太陽電池装置２００は、１つ以上の太陽電池モジュール３ｍｏを有していてもよい。この場合には、例えば、支持部材４は、１つ以上の太陽電池モジュール３ｍｏを支持するものであってもよい。
【００９０】
上記一実施形態では、例えば、第１方向と第２方向とは、直交することなく、交差している関係にあってもよい。ただし、例えば、第１方向と第２方向とが直交していれば、太陽電池装置２００を容易に製作することができる。
【００９１】
上記一実施形態では、例えば、第１屋根部１および第２屋根部２の少なくとも一方が水平面に対して傾斜していなくてもよい。
【００９２】
上記一実施形態では、例えば、長尺部材１１の直上に第２クランプ用部材６ｂが位置している場合には、第２固定部５ｂの代わりに、第１固定部５ａが採用されてもよい。
【００９３】
上記一実施形態では、例えば、第１固定部５ａは、連結用部分５ａ３で連結されている第１締結用部分５ａ１と第２締結用部分５ａ２とに分割されることなく、１つの締結用部分によって構成されていてもよい。この場合、１つの締結用部分としては、例えば、支持部材４および第２屋根部２を貫通し、長尺部材１１に対して締結されている１本のタッピングねじなどが採用される。
【００９４】
上記一実施形態では、例えば、第１クランプ用部材６ａおよび第２クランプ用部材６ｂの代わりに、太陽電池モジュール３ｍｏが、いわゆるインレイ方式で嵌合される、被嵌合部としての溝部を有する部材が採用されてもよい。換言すれば、第１クランプ用部材６ａおよび第２クランプ用部材６ｂは、例えば、太陽電池モジュール３ｍｏを保持することが可能な種々の部材に置換されてもよい。この場合、例えば、太陽電池モジュール３ｍｏを保持することが可能な部材は、保持部材４に対して取り付けられていてもよいし、保持部材４と一体的に構成されていてもよい。
【００９５】
上記一実施形態では、例えば、第１屋根部１において凸部と凹部とが繰り返して並んでいる方向と、第２屋根部２において複数の凸状部分２ｃが並んでいる方向と、が相対的に若干の傾きを有するように交差していてもよい。
【００９６】
上記一実施形態では、例えば、連結用部分５ａ３は、第１部分Ｐ１と第２部分Ｐ２と第３部分Ｐ３とが内部空間Ｉｓ１を形成している、横向きのＵ字状の断面を有する部材であってもよい。また、例えば、連結用部分５ａ３は、第１部分Ｐ１と第２部分Ｐ２とが第３部分Ｐ３としての棒状の部分またはクリップ状の部分などによって連結された構成を有していてもよい。換言すれば、例えば、連結用部分５ａ３は、第１締結用部分５ａ１と第２締結用部分５ａ２とを連結することが可能な構成を有する種々の部分に置換され得る。
【００９７】
上記一実施形態では、例えば、設置対象部として、屋根１００の代わりに、外壁が採用されてもよい。この場合には、例えば、第１基体として第１外壁部が採用され、第２基体として第２外壁部が採用される形態が考えられる。このとき、＋Ｚ方向および−Ｚ方向は、例えば、水平方向に沿った方向となり得る。また、このとき、例えば、第１基体の上から第２基体を被せている状況から、水平方向において第１基体が存在している位置に対して第２基体が存在している位置を相対的に“上”および“上方向”とみなしてよい。
【００９８】
上記一実施形態および各種変形例をそれぞれ構成する全部または一部を、適宜、矛盾しない範囲で組み合わせ可能であることは言うまでもない。
【符号の説明】
【００９９】
１  第１屋根部
２  第２屋根部
２ｃ  凸状部分
２ｆ  被支持部分
２ｆ１  第１被支持部分
２ｆ２  第２被支持部分
３ｍｏ  太陽電池モジュール
４  支持部材
４ｇ  溝型部分
４ｇｒ  溝内空間
４ｐ１  第１張出部分
４ｐ２  第２張出部分
４ｔ  頂部分
４ｔｒ  溝状部分
５ａ  第１固定部
５ａ１  第１締結用部分
５ａ１ｈ，５ｂ２ｓｈ  頭部
５ａ１ｓ  第３雄ねじ部分
５ａ２  第２締結用部分
５ａ２ｎ１  第１雌ねじ部材
５ａ２ｎ２  第２雌ねじ部材
５ａ２ｓ  雄ねじ部材
５ａ３  連結用部分
５ａ３ｈ１  第１孔部
５ａ３ｈ２  第２孔部
５ｂ  第２固定部
５ｂ２  第２締結用部分
５ｂ２ｓ  雄ねじ部材
５ｂ２ｓｓ  雄ねじ部分
５ｃ  第３固定部
６ａ  第１クランプ用部材
６ａ１  第１部
６ａ２  第２部
６ａ３  第３部
６ｂ  第２クランプ用部材
１１  長尺部材
１２  固定用部材
２０  保持部
１００  屋根
２００  太陽電池装置
Ｆ１  フレーム
Ｉｓ１  内部空間
Ｎｈ１  ねじ穴
Ｐ１  第１部分
Ｐ２  第２部分
Ｐ３  第３部分
【図１】
2019044419.tif 000003
【図２】
2019044419.tif 000004
【図３】
2019044419.tif 000005
【図４】
2019044419.tif 000006
【図５】
2019044419.tif 000007
【図６】
2019044419.tif 000008
【図７】
2019044419.tif 000009
【図８】
2019044419.tif 000010
【図９】
2019044419.tif 000011
【図１０】
2019044419.tif 000012
【図１１】
2019044419.tif 000013
【図１２】
2019044419.tif 000014
【図１３】
2019044419.tif 000015